(57)【要約】【解決手段】  カム（Ｃ）、軸（Ａ）、柄（Ｄ）、ベース（Ｂ）及びアンカー（Ｅ）とを含んで構成されるドア開放装置。【効果】  従来の遮音性、断熱性、耐震性、防犯性等の性能を損なうことなく、地震により出入口の玄関扉が万一開かなくなった時に女性や子供等の弱者でも容易かつ確実に脱出ができ、しかも既存の建物にも普及できる玄関扉開放装置を開発することができる。装置の大きさは、概ね、一般的なシガレット（マイルドセブン（登録商標）等）の函の大きさ程度である。この装置は、ドア枠のどこに取り付けることもでき、コンパクトなので、躓き等の危険も少ない。ドアに歪みが生じた爾後であっても簡単に取り付けることができる。【選択図】  図８
2009161948.tif 000002
【特許請求の範囲】
【請求項１】
カム（Ｃ）、軸（Ａ）、柄（Ｄ）、ベース（Ｂ）及びアンカー（Ｅ）とを含んで構成されるドア開放装置であって、
アンカー（Ｅ）は、ドア（Ｇ）とドア枠（Ｆ）の間の溝（Ｈ）に挿入することによりドア開放装置のベース（Ｂ）をドア枠（Ｆ）に固定するためのものであり、
軸（Ａ）は、カム（Ｃ）をベース（Ｂ）にあけられた軸孔（Ａ’）を支点として柄（Ｄ）により回転させる際の中心となるものであり、
カム（Ｃ）は、最短半径部（Ｓ）から最長半径部（Ｌ）にかけて連続的に半径が増加するクレセント（三日月又は半月）状形状を有するものであり、
柄（Ｄ）は、カム（Ｃ）を回転させる機能を有するものであり、
ドア開放装置固定時には
〔即ち、アンカー（Ｅ）をドア（Ｇ）とドア枠（Ｆ）の間の溝（Ｈ）に挿入してドア開放装置のベース（Ｂ）をドア枠（Ｆ）に固定する時には〕
カム（Ｃ）の最短半径部（Ｓ）近傍をドア（Ｇ）に向けて固定し、
ドア開放装置固定後には、
柄（Ｄ）を押し下げることにより、カム（Ｃ）を徐々に回転させることにより、カム（Ｃ）をドア（Ｇ）に接触させ、
カム（Ｃ）とドア（Ｇ）の接触後には、
梃子の原理により、
カム（Ｃ）とドア（Ｇ）との接触点（Ｋ）における、軸（Ａ）と接触点（Ｋ）との間の距離（ｒ）を徐々に増大させていくことにより、
ドア（Ｇ）をドア枠（Ｆ）から押し出す機能を有することを特徴とする、
ドア開放装置。
【発明の詳細な説明】
【技術分野】
【０００１】
本発明は、マンション等集合住宅の各戸に設置してある出入口の玄関扉が地震による建物のゆがみ等により万一開かなくなったときでも容易かつ確実に玄関扉を開放することができる装置に関する。
【背景技術】
【０００２】
マンション等集合住宅の各戸に設置してある出入口の玄関扉については、遮音性、断熱性、防犯性、耐震性等の向上のため、一般的にはスチール、アルミ等の金属と断熱・遮音材を使用した扉が多く見受けられるが、地震により出入口の扉が建物のゆがみ等により開かなくなった場合、室内にいる人は容易に外に出られなくなってしまう。
集合住宅については、ベランダから隣へ避難路が確保されていることになっているが、実際にはベランダに物を置いてある場合が多く、万一の時に迅速かつ確実に避難できるか疑わしい。
また、近年の犯罪の増加に対処するため、外部から容易に侵入できないよう窓に防犯用の格子を施した部屋も多く見られるようになってきたことから、一層外部への脱出は困難となってきている。
更に、女性、子供、お年寄り等の弱者が部屋の中に取り残された場合は、脱出が極めて困難と言わざるを得ない。
【０００３】
このため、従来は建物自体の耐震性を向上させるようにしてきたが、これには建物全体の耐震補強工事または建物自体の立て替えしかなく、マンション等の集合住宅では全員または多数の同意を得て対策を講じることは現実的にはなかなかできないため、既存の建物については十分な対策がなされていないのが現状である。
【０００４】
【特許文献１】特開平１１−０４４１６０号
【０００５】
【特許文献２】特開２００４−１１６１１４号
【発明の開示】
【発明が解決しようとする課題】
【０００６】
従来の遮音性、断熱性、耐震性、防犯性等の性能を損なうことなく、地震により出入口の玄関扉が万一開かなくなった時に女性や子供等の弱者でも容易かつ確実に脱出ができ、しかも既存の建物にも普及できる玄関扉開放装置を開発することである。
【課題を解決するための手段】
【０００７】
従来の遮音性、断熱性、耐震性、防犯性等の性能を損なうことなく、マンション等集合住宅の各戸で見られる出入口の玄関扉が地震により開かなくなった時でも大人が楽に出入りできる程度の大きさの脱出口を設けた玄関扉を開発し、既存マンションの場合は扉の取り替え、新設マンションについては新たに設置する。
【発明を実施するための最良の形態】
【０００８】
発明の実施の形態を実施例に基づき図面を参照して説明する。
【０００９】
まず図１に、一般的な玄関ドアの屋外から見た外観図（正常な閉止状態）を示した。
一般的に玄関扉は縦１８０ｃｍ、横８０ｃｍ程度の大きさになっている。
【００１０】
次に、図２に、一般的な玄関ドアの屋外から見た外観図（正常な開放状態・ドア外面側）を示した。
【００１１】
次に、図３に、一般的な玄関ドアの屋外から見た外観図（正常な開放状態・ドア内面側）を示した。
【００１２】
次に、図４に、一般的な玄関ドアの屋外から見た外観図（ドア枠が変形した異常な閉止状態）を示した。
【００１３】
次に、図５に、一般的な玄関ドアの部位名称を示した。
【００１４】
次に、図６に、一般的な玄関ドアにおける本願発明に係るドア開放装置を設置することが可能な箇所の具体例を示した。
ドア枠Ｆの溝ＨにアンカーＥを引っ掛けて、装置のベースＢをしっかりと固定することができる。
【００１５】
次に、図７に、本願発明に係るドア開放装置の原理図（分解状態）を示した。
柄Ｄと、カムＣは、溶接等により一体として固定されている。
【００１６】
本願発明に係るドア開放装置は、原理としては、
カム（Ｃ）、軸（Ａ）、柄（Ｄ）、ベース（Ｂ）及びアンカー（Ｅ）とを含んで構成されるドア開放装置であって、
アンカー（Ｅ）は、ドア（Ｇ）とドア枠（Ｆ）の間の溝（Ｈ）に挿入することによりドア開放装置のベース（Ｂ）をドア枠（Ｆ）に固定するためのものであり、
軸（Ａ）は、カム（Ｃ）をベース（Ｂ）にあけられた軸孔（Ａ’）を支点として柄（Ｄ）により回転させる際の中心となるものであり、
カム（Ｃ）は、最短半径部（Ｓ）から最長半径部（Ｌ）にかけて連続的に半径が増加するクレセント（三日月又は半月）状形状を有するものであり、
柄（Ｄ）は、カム（Ｃ）を回転させる機能を有するものであり、
ドア開放装置固定時には
〔即ち、アンカー（Ｅ）をドア（Ｇ）とドア枠（Ｆ）の間の溝（Ｈ）に挿入してドア開放装置のベース（Ｂ）をドア枠（Ｆ）に固定する時には〕
カム（Ｃ）の最短半径部（Ｓ）近傍をドア（Ｇ）に向けて固定し、
ドア開放装置固定後には、
柄（Ｄ）を押し下げることにより、カム（Ｃ）を徐々に回転させることにより、カム（Ｃ）をドア（Ｇ）に接触させ、
カム（Ｃ）とドア（Ｇ）の接触後には、
梃子の原理により、
カム（Ｃ）とドア（Ｇ）との接触点（Ｋ）における、軸（Ａ）と接触点（Ｋ）との間の距離（ｒ）を徐々に増大させていくことにより、
ドア（Ｇ）をドア枠（Ｆ）から押し出す機能を有することを特徴とする、
ものである。
【００１７】
次に、図８に、本願発明に係るドア開放装置の原理図（組立状態）を示した。
【００１８】
次に、図９に、本願発明に係るドア開放装置の設置を示した。
【００１９】
次に、図１０に、本願発明に係るドア開放装置の操作の第１ステップを示した。
装置を設置するためには、ドア枠Ｆの溝ＨにアンカーＥを引っ掛けて、装置のベースＢをしっかりと固定する。すなわち、アンカー（Ｅ）は、ドア（Ｇ）とドア枠（Ｆ）の間の溝（Ｈ）に挿入することによりドア開放装置のベース（Ｂ）をドア枠（Ｆ）に固定する。
【００２０】
次に、図１１に、本願発明に係るドア開放装置の操作の第２ステップを
梃子の柄Ｄをゆっくりと回転させて、カムＣをドアＧに接触させる。
ドア開放装置固定後には、柄（Ｄ）を押し下げて、カム（Ｃ）を徐々に回転させることにより、カム（Ｃ）をドア（Ｇ）に接触させ、カム（Ｃ）とドア（Ｇ）の接触後には、梃子の原理により、カム（Ｃ）とドア（Ｇ）との接触点（Ｋ）における、軸（Ａ）と接触点（Ｋ）との間の距離（ｒ）を徐々に増大させていくことにより、ドア（Ｇ）をドア枠（Ｆ）から押し出す。
【００２１】
次に、図１２に、本願発明に係るドア開放装置の操作の第３ステップを示した。
梃子の柄Ｄに加える力(ｆ1)を強めながらゆっくりと回転させて、ドアを少しずつ押し出していく。
【００２２】
次に、図１３に、本願発明に係るドア開放装置の操作の第４ステップを示した。
梃子の柄Ｄに加える力(ｆ1)を強めながらゆっくりと回転させて、さらに、ドアを少しずつ押し出していく。
【００２３】
次に、図１４に、本願発明に係るドア開放装置の操作の第５ステップを示した。
梃子の柄Ｄに加える力(ｆ1)を強めながらゆっくりと回転させて、さらに、ドアを少しずつ押し出していくと、完全にドアを開放することが出来る。
【００２４】
次に、図１５（Ａ）、（Ｂ）に、本願発明に係るドア開放装置の態様を示した。
（Ｂ）は、使用時のみに、柄（Ｄ）を延伸する態様である。
【００２５】
次に、図１６（Ａ）、（Ｂ）に、本願発明に係るドア開放装置の好ましい形態を示した。
これらの図は、装置を実際に玄関ドアに設置することを想定したものであり、大きさは、概ね、一般的なシガレット（マイルドセブン（登録商標）等）の函の大きさ程度である。
この態様の装置は、図６にも示したようにドア枠のどこに取り付けることもできる。
コンパクトなので、躓き等の危険も少ない。
ドアに歪みが生じた爾後であっても簡単に取り付けることができる。
【図面の簡単な説明】
【００２６】
後付けも可能なので、通常は、取り付け不要であり、躓きの危険も少ない。
【図１】一般的な玄関ドアの屋外から見た外観図（正常な閉止状態）を示した。一般的に玄関扉は縦１８０ｃｍ、横８０ｃｍ程度の大きさになっている。
【図２】一般的な玄関ドアの屋外から見た外観図（正常な開放状態・ドア外面側）を示した。
【図３】一般的な玄関ドアの屋外から見た外観図（正常な開放状態・ドア内面側）を示した。
【図４】一般的な玄関ドアの屋外から見た外観図（ドア枠が変形した異常な閉止状態）を示した。
【図５】一般的な玄関ドアの部位名称を示した。
【図６】一般的な玄関ドアにおける本願発明に係るドア開放装置を設置することが可能な箇所の具体例を示した。ドア枠Ｆの溝ＨにアンカーＥを引っ掛けて、装置のベースＢをしっかりと固定することができる。
【図７】本願発明に係るドア開放装置の原理図（分解状態）を示した。
【図８】本願発明に係るドア開放装置の原理図（組立状態）を示した。
【図９】本願発明に係るドア開放装置の設置方法・設置状態を示した。
【図１０】本願発明に係るドア開放装置の操作の第１ステップ（装置の設置）を示した。第１ステップでは、ドア枠Ｆの溝ＨにアンカーＥを引っ掛けて、装置のベースＢをしっかりと固定する。アンカー（Ｅ）は、ドア（Ｇ）とドア枠（Ｆ）の間の溝（Ｈ）に挿入することによりドア開放装置のベース（Ｂ）をドア枠（Ｆ）に固定する。
【図１１】本願発明に係るドア開放装置の操作の第２ステップを示した。梃子の柄Ｄをゆっくりと回転させて、カムＣをドアＧに接触させる。ドア開放装置固定後には、柄（Ｄ）を押し下げることにより、カム（Ｃ）を徐々に回転させることにより、カム（Ｃ）をドア（Ｇ）に接触させ、カム（Ｃ）とドア（Ｇ）の接触後には、梃子の原理により、カム（Ｃ）とドア（Ｇ）との接触点（Ｋ）における、軸（Ａ）と接触点（Ｋ）との間の距離（ｒ）を徐々に増大させていくことにより、ドア（Ｇ）をドア枠（Ｆ）から押し出す。
【図１２】本願発明に係るドア開放装置の操作の第３ステップを示した。梃子の柄Ｄに加える力(ｆ1)を強めながらゆっくりと回転させて、ドアを少しずつ押し出していく。
【図１３】本願発明に係るドア開放装置の操作の第４ステップを示した。梃子の柄Ｄに加える力(ｆ1)を強めながらゆっくりと回転させて、さらに、ドアを少しずつ押し出していく。
【図１４】本願発明に係るドア開放装置の操作の第５ステップを示した。梃子の柄Ｄに加える力(ｆ1)を強めながらゆっくりと回転させて、さらに、ドアを少しずつ押し出していくと、完全にドアを開放することが出来る。
【図１５】本願発明に係るドア開放装置の態様を示した。
【図１６】本願発明に係るドア開放装置の好ましい形態を示した。
【符号の説明】
【００２７】
Ａ  軸
Ａ’軸孔
Ｂ  ベース
Ｃ  カム
Ｄ  柄
Ｅ  アンカー
Ｅ’返し（鉤状部）
Ｆ  ドア枠
ｆ１  作業者が柄（Ｄ）に付与する力
ｆ２  梃子の原理でカム（Ｃ）がドア（Ｇ）を押し出す力
Ｇ  ドア
Ｈ  溝（クリアランス  又は
エアタイトパッキング収納溝）
Ｋ  カム（Ｃ）とドア（Ｇ）との接触点
ｒ  カム（Ｃ）とドア（Ｇ）との接触点（Ｋ）との間の距離
【図１】
2009161948.tif 000003
【図２】
2009161948.tif 000004
【図３】
2009161948.tif 000005
【図４】
2009161948.tif 000006
【図５】
2009161948.tif 000007
【図６】
2009161948.tif 000008
【図７】
2009161948.tif 000009
【図８】
2009161948.tif 000010
【図９】
2009161948.tif 000011
【図１０】
2009161948.tif 000012
【図１１】
2009161948.tif 000013
【図１２】
2009161948.tif 000014
【図１３】
2009161948.tif 000015
【図１４】
2009161948.tif 000016
【図１５】
2009161948.tif 000017
【図１６】
2009161948.tif 000018